(57)【要約】【課題】  少ない部品点数で負電圧生成回路が実現できる構成を備えたミューティング回路を提供する。【解決手段】  アンプＯＰ１０より出力される音声信号の負側信号を、ダイオードＤ２及びコンデンサＣ３で構成するピークホールド回路１により、ピークホールドして、このピークホールドによって生ずる負電圧で、ミュートトランジスタＴｒ２０のベース端子をバイアスすることにより、非ミュート時に、ミュートトランジスタＴｒ２０を、完全にオフ状態に、且つ安定的に保つことができる。【選択図】    図１
2011055184.tif 000002
【特許請求の範囲】
【請求項１】
単電源で動作するオーディオ回路のアンプ出力信号を、出力抵抗を介してミュートトランジスタでグランドにショートすることによりミュートする構成を有するミューティング回路において、
非ミュート時、出力される音声信号の負側信号をピークホールドするピークホールド回路を備えており、
上記ミュートトランジスタのベース端子を、上記ピークホールド回路のピークホールドによって生ずる負電圧でバイアスすることにより、該ミュートトランジスタを完全にオフ状態に且つ安定して保つことを特徴とするミューティング回路。
【発明の詳細な説明】
【技術分野】
【０００１】
本発明は、単電源で動作するオーディオ回路の信号ミュートを行うミューティング回路に関する。
【背景技術】
【０００２】
図４に示す構成は、単電源ミューティング回路の従来構成例である。ミュート電圧（図中ＭＵＴＥと図示）がトランジスタＴｒ２４のベースに印加されると、トランジスタＴｒ２４及びＴｒ２２がＯＮする。
【０００３】
トランジスタＴｒ２２から＋Ｖ電圧がベース抵抗Ｒ３０を介してミュートトランジスタＴｒ２０のベースに印加され、該ミュートトランジスタＴｒ２０がＯｎ状態になり、（図視上ＩＮと示されたその入力を示す）音声信号は、ダンピング抵抗（保護抵抗）Ｒ３４を介してグランドにショートされ、ミュート状態となる。
【０００４】
ミュート電圧が０Ｖの時は、トランジスタＴｒ２４、Ｔｒ２２共にＯＦＦになり、トランジスタＴｒ２２のコレクタ端子はハイインピーダンスとなる。その結果ミュートトランジスタＴｒ２０はＯＦＦとなる。つまりミュート解除となり、グランド側に音声信号は流れない。
【０００５】
また交流信号（グランドレベルに対して、正負に変動する信号）をショートする場合、コレクタ電流の流れる方向がコレクタ−エミッタ方向、エミッタ−コレクタ方向と変動するので、このミュートトランジスタＴｒ２０には、逆方向の直流増幅値（リバースｈｆｅ）の大きなトランジスタを使用する。
【発明の開示】
【発明が解決しようとする課題】
【０００６】
上記ミュートＯＦＦ時、該ミュートトランジスタＴｒ２０は、ベース端子が解放と同等になるため、非常に不安定な状態になる。
【０００７】
そのベース端子は入力インピーダンスが高いので、トランジスタＴｒ２２のコレクタ−抵抗Ｒ３０間、抵抗Ｒ３０−ミュートトランジスタＴｒ２０のベース間は、ノイズが乗り易く、ミュートトランジスタＴｒ２０の誤動作の原因となることがある。
【０００８】
図５は、抵抗Ｒ３０−ミュートトランジスタＴｒ２０間のベースラインにノイズが印加されてしまった場合（例えば人が触ってしまった場合）の波形図であり、ミュートされていないにも拘わらず、出力波形に影響が及んでしまっている（例えば上述の例では触ることでブーンというハムが生ずる）ことが分かる。
【０００９】
一般的なスイッチング回路では、図６に示すように、ミュートトランジスタＴｒ２０ベース−グランド間に抵抗Ｒ３２を挿入して、ミュートトランジスタＴｒ２０を安定させているが、ミューティング回路においては、ミュートトランジスタＴｒ２０は、上述のように、リバースｈｆｅの大きなトランジスタが用いられているため、該ミュートトランジスタＴｒ２０のコレクタに接続されている音声信号電圧が、−０．６Ｖ以下になると、該ミュートトランジスタＴｒ２０のベース−コレクタ間のＰＮ接合がＯＮしてしまう。そのため、図７に示すように、音声信号の負側がクリップしてしまうことになる（図面に示されるようにちょうど負側のある領域以下だけがミュートされたような状態になる）。従って図６のように、グランドに落とすこともできない。
【００１０】
そこで図８に示すように、抵抗Ｒ３２を−Ｖに接続する（マイナスのバイアスをかけておく）必要があるが、マイナス電位により、ミュートトランジスタＴｒ２０の電位は安定することになる。上述のように、単電源が前提の構成であるため、＋Ｖから−Ｖを作る回路１００が別途必要となる。
【００１１】
図９は、＋Ｖから−Ｖを作る回路１００の一例であるが、かなりの点数のディスクリート部品（アンプＯＰ１０２及び１０４やダイオード１１０や１１２等その他の部品）が必要となってしまい、もっと簡単な構成にすることが望まれていた。
【００１２】
本発明は、以上のような問題に鑑み創案されたもので、少ない部品点数で負電圧生成回路が実現できる構成を備えたミューティング回路を提供せんとするものである。
【課題を解決するための手段】
【００１３】
本発明の構成は、
単電源で動作するオーディオ回路のアンプ出力信号を、出力抵抗を介してミュートトランジスタでグランドにショートすることによりミュートする構成を有するミューティング回路において、
非ミュート時、出力される音声信号の負側信号をピークホールドするピークホールド回路（負電圧生成回路として）を備えており、
上記ミュートトランジスタのベース端子を、上記ピークホールド回路のピークホールドによって生ずる負電圧でバイアスすることにより、該ミュートトランジスタを完全にオフ状態に且つ安定して保つ
ことを基本的特徴としている。
【００１４】
上記構成によれば、前段のアンプより出力される音声信号の負側信号を、上記ピークホールド回路によりピークホールドして、このピークホールドによって生ずる負電圧で、ミュートトランジスタのベース端子をバイアスすることにより、非ミュート時に、ミュートトランジスタを、完全にオフ状態に、且つ安定的に保てるようにすることができるようになる。
【００１５】
後述する実施例では、このミューティング回路は、負電圧生成回路として、わずか２部品で実現している。
【発明の効果】
【００１６】
以上のような本発明の構成によれば、ピークホールド回路を用いることで、少ない部品点数で負電圧生成回路を構成でき、ミュートトランジスタのベース端子を、ピークホールドすることによって生ずる負電圧でバイアスすることにより、非ミュート時に、ミュートトランジスタを、完全にオフ状態に、且つ安定的に保てるようにすることができるようになるという優れた効果を奏し得る。
【発明を実施するための最良の形態】
【００１７】
以下、本発明の実施の形態を、説明する。
【００１８】
図１は、本発明の一実施形態を示す回路図である。
【００１９】
本構成では、単電源構成である為、前段アンプを＋Ｖ／２に直流バイアス電圧をかけている（＋Ｖ／２が基準電圧になる）。
【００２０】
アンプＯＰ１０出力信号は、コンデンサＣ４０、抵抗Ｒ３６により直流バイアス電圧がカットされて出力されることになる。本実施例では、その出力側にダンピング抵抗（保護抵抗）Ｒ３４がつながっており、後述するミュートトランジスタＴｒ２０でアンプＯＰ１０の出力がショートしないようにしている。ここで、ミュート電圧を印加しない非ミュート（トランジスタＴｒ２２がＯＦＦの）時は、後述するトランジスタＴｒ２２〜Ｔｒ２４を含む回路は、無いに等しい（トランジスタＴｒ２２以降はオープンと同じくらい高インピーダンスとなる）。ミュートトランジスタＴｒ２０のベース端子は入力インピーダンスが高いので、トランジスタＴｒ２２のコレクタ−抵抗Ｒ３０間、抵抗Ｒ３０−ミュートトランジスタＴｒ２０のベース間は、ノイズが乗り易く、ミュートトランジスタＴｒ２０の誤動作の原因となる（そのノイズによってミュートトランジスタＴｒ２０はミュートされていないにも拘わらず勝手にＯＮすることがある；上述した図５参照）。
【００２１】
ミュート動作は、上記従来技術と同様、トランジスタＴｒ２４のベース抵抗（図中該ベースとＭＵＴＥ信号の間に示された抵抗）にミュート電圧を印加することにより、ミュートトランジスタＴｒ２０をＯＮにして出力音声信号をミュー卜する。
【００２２】
一方、非ミュート時、本実施例において、ダイオードＤ２及びコンデンサＣ３は、アンプＯＰ１０出力信号の負側（負側の信号）をピークホールドするピークホールド回路１であり、コンデンサＣ３は出力信号の負側の最大値を瞬時にチヤージする。従って、直流の状態が維持されることになる。尚、この構成の場合に使用されるダイオードＤ２は、順方向降下電圧の低いショットキーダイオードが望ましい。後述のように、ショットキーダイオードの場合、０．４Ｖがショットキーの順方向降下電圧値である。
【００２３】
以上の構成で、今、アンプＯＰ１０出力信号の負側電圧を−Ｅとすると、コンデンサＣ３にチャージされる電圧は、−Ｅ＋０．４Ｖとなる。この０．４Ｖはショットキーダイオードの順方向降下電圧値である。一方、ミュートトランジスタＴｒ２０の負側の非クリップ電圧はベース電圧に対して−０．６Ｖであるから、−Ｅ＋０．４−０．６＝（−Ｅ−０．２）Ｖとなり、負側のピーク電圧より更に０．２Ｖ低い電圧まで信号がクリップしない、言い換えれば０．２Ｖ余裕があることが分かる。
【００２４】
つまり、非ミュート時は、音声信号が出力されている限り、コンデンサＣ３にチャージされる負電圧でミュートトランジスタＴｒ２０がバイアスされる（自分が勝手に自己バイアスをかけてくれる状態になる）ので、ミュートトランジスタＴｒ２０は、安定且つ確実にＯＦＦとなる為、図２に示される測定結果が示すように、出力信号に影響を与えることは無い。
【００２５】
無信号時には、コンデンサＣ３にチャージされている負電圧は、抵抗Ｒ３２、ミュートトランジスタＴｒ２０を通して自然放電して０Ｖとなる。
【００２６】
他の効果としては、コンデンサＣ３がミュートトランジスタＴｒ２０のベースラインを交流的に安定させる為（コンデンサＣ３がここに付いていると言うことは交流的にショートしているので）、無信号時でも、トランジスタＴｒ２２−抵抗Ｒ３０間の誘導ノイズ、ハム等に強くなる。
【００２７】
図３は、ミュートトランジスタＴｒ２０のベースラインにノイズを印加した場合の出力波形（上段）とベース電圧（下段）測定図であり、この図から明らかなように、従来例とは異なり、出力波形に影響が現れていないことが分る。
【００２８】
この様に、本発明は簡単な回路構成で、非ミュート時、出力信号に影響を与えることの無いミューティング回路が提供されることになる。
【００２９】
尚、本発明のミューティング回路は、上述の図示例にのみ限定されるものではなく、本発明の要旨を逸脱しない範囲内において種々変更を加え得ることは勿論である。
【産業上の利用可能性】
【００３０】
本発明のミューティング回路は、単電源で動作するオーディオ回路のアンプ構成に用いられるものであれば適用でき、電子楽器の他、種々のオーディオ機器に使用可能である。
【図面の簡単な説明】
【００３１】
【図１】本発明の一実施形態構成に係るミューティング回路構成を示す回路図である。
【図２】本実施例構成において、出力波形（上段）とベース電圧（下段）の測定結果を示す測定図である。
【図３】本実施例構成におけるミュートトランジスタＴｒ２０のベースラインにノイズを印加した場合の出力波形（上段）とベース電圧（下段）の測定結果を示す測定図である。
【図４】従来のミューティング回路構成を示す回路図である。
【図５】従来構成における、ベースオープン時、ノイズを印加したときの出力波形（上段）とベース電圧（下段）の測定結果を示す測定図である。
【図６】ミュートトランジスタＴｒ２０にベース接地抵抗Ｒ３２を加えた状態を示す回路図である。
【図７】ベース抵抗Ｒ３２を接地した時の出力波形（上段）とベース電圧（下段）の状態を示す測定図である。
【図８】ミュートトランジスタＴｒ２０のベース抵抗に負電圧を印加した構成を示す回路図である。
【図９】＋Ｖから−Ｖを作る回路１００の構成例を示す回路図である。
【符号の説明】
【００３２】
１                    ピークホールド回路
２、１１０、１１２    ダイオードＤ
３、４０              コンデンサＣ
１０、１０２、１０４    アンプＯＰ
２０、２２、２４        トランジスタＴｒ
３０、３２、３４、３６  抵抗Ｒ
【図１】
2011055184.tif 000003
【図２】
2011055184.tif 000004
【図３】
2011055184.tif 000005
【図４】
2011055184.tif 000006
【図５】
2011055184.tif 000007
【図６】
2011055184.tif 000008
【図７】
2011055184.tif 000009
【図８】
2011055184.tif 000010
【図９】
2011055184.tif 000011